(57)【要約】【課題】専用器具用いずに薄型ディスプレイパネルを用いた映像表示装置の枠型構造部を組み立てることが出来るフレーム固定器具を提供すること。【解決手段】第１のフレームの係止溝に係止する係止部と、第２のフレームの爪挿入穴に挿入する爪部と、第２のフレームの第１のねじ穴と合わせてねじ止めする第２のねじ穴を備え、爪部は、係止部との距離が第１のフレームと第２のフレームとを接合した時の係止溝と爪挿入穴との距離に等しいフレーム固定部と、係止部との距離が徐々に広がる爪挿入部とを有するので、専用器具４３０を用いずに薄型ディスプレイパネルを用いた映像表示装置の枠型構造部をフレーム間の隙間を無く組み立てることが出来、枠型構造部の組み立て工程を簡素化することが出来る。【選択図】図１
2009258413.tif 000002
【特許請求の範囲】
【請求項１】
係止溝を持った第１のフレームと、爪挿入穴と第１のねじ穴を持った第２のフレームとを接合して固定するフレーム固定金具であって、前記第１のフレームの係止溝に係止する係止部と、前記第２のフレームの爪挿入穴に挿入する爪部と、前記第２のフレームの第１のねじ穴と合わせてねじ止めする第２のねじ穴を備え、前記爪部は、前記係止部との距離が前記第１のフレームと前記第２のフレームとを接合した時の前記係止溝と前記爪挿入穴との距離に等しいフレーム固定部と、前記係止部との距離が徐々に広がる爪挿入部とを持ったことを特徴とするフレーム固定金具。
【請求項２】
前記爪挿入部は、前記フレーム固定部との接点が前記係止部の先端からの距離が最短であることを特徴とする請求項１に記載のフレーム固定金具。
【発明の詳細な説明】
【技術分野】
【０００１】
薄型ディスプレイパネルなどの枠型構造部において、２つの部品を隙間無く接合して固定するときに使用するフレーム固定金具に関するものである。
【背景技術】
【０００２】
薄型ディスプレイパネルを用いた映像表示装置の前面構造は、主に薄型ディスプレイパネルである映像表示部と、映像表示部を保護する枠型構造部で構成されている。そして、枠型構造部は４本のフレームを組み合わせて作られている。４本のフレームを固定するには、互いのフレームを組み合わせた後に各フレームの接合部に専用器具を用いながら、固定用のフレーム固定金具で固定している。
【０００３】
従来のフレームの固定金具について説明する。図７は従来のフレーム固定金具４００の外観図であり、図７（ａ）は正面図で、図７（ｂ）は図７（ａ）のＤ−Ｄ断面図である。また、図８は従来のフレーム固定金具４００を用いて枠型構造部１００を組み立てる工程の説明図であり、図８（ａ）は４本のフレームのうち２本のフレーム１１０、１２０において接合する前の状態図で、図８（ｂ）は２本のフレーム１１０、１２０を接合した後に接合部上に従来のフレーム固定金具４００を乗せた状態図で、図８（ｃ）は２本のフレーム１１０、１２０の接合部を固定するために従来のフレーム固定金具４００のねじ止めを行う際に動かないように専用器具４３０を用いて接合部を押さえている状態図で
ある。また、図９は従来のフレーム固定金具４００を用いて２本のフレーム１１０、１２０を接合するフローチャートである。
【０００４】
初めに、互いのフレーム１１０、１２０の接合部が直角構造を保って接合出来るように直角の形状をしたフレーム固定金具４００を用意する。フレーム固定金具４００は金属板をＬ字型の形状にした物で、図７に示すようにねじが挿入できるように穴部４０１〜４０４を有する。次に、図８（ｂ）のように直角のフレーム固定金具４００を互いのフレーム１１０、１２０の接合部の上に乗せる。ここで、フレーム１１０、１２０に予め空けられたねじ穴１１１、１２１とフレーム固定金具４００の穴部４０４、４０１を各々合わせ、ねじ３００を入れてねじ止め作業を行う。
【０００５】
このように、直角のフレーム固定金具４００とフレーム１１０、１２０とをねじ止めして固定することにより、フレーム１１０と１２０を直角に固定することが出来る。
【０００６】
この作業を４本のフレームの接合部４箇所において行うことで、薄型ディスプレイの枠型構造部を完成させている。
【特許文献１】特開２００７−０１７８３５号公報
【発明の開示】
【発明が解決しようとする課題】
【０００７】
しかしながら、薄型ディスプレイパネルを用いた映像表示装置の枠型構造部を４本のフレームから組み立てる際、例えば、フレーム１１０と１２０をフレーム固定金具４００を用いてねじ止め作業を行う時、フレーム１１０と１２０の直角に接合された部分が少しの力が加えられただけで動いてしまう恐れがある。そこで、フレーム１１０と１２０の接合部が動かぬように接合部が直角に保つことが出来る専用器具４３０によってフレーム１１０、１２０が動かぬように接合部を固定させておいてからねじ止め作業を行わなければならない。
【０００８】
このように、４本のフレームを枠型構造部に仕上げる際に専用器具４３０を用いなければならず、生産工程において枠型構造部を仕上げるために専用器具４３０を用いるという工程を要することになり、専用器具４３０を用いることは非常に手間がかかり薄型ディスプレイパネルの構成部品以外のものが必要であるという課題を有していた。
【０００９】
本発明は、前記従来の課題を解決するもので、専用器具４３０を用いずに薄型ディスプレイパネルを用いた映像表示装置の枠型構造部を組み立てることが出来るフレーム固定器具を提供することを目的とする。
【課題を解決するための手段】
【００１０】
前記従来の課題を解決するために、本発明のフレーム固定器具は、係止溝を持った第１のフレームと、爪挿入穴と第１のねじ穴を持った第２のフレームとを接合して固定するフレーム固定金具であって、第１のフレームの係止溝に係止する係止部と、第２のフレームの爪挿入穴に挿入する爪部と、第２のフレームの第１のねじ穴と合わせてねじ止めする第２のねじ穴を備え、爪部は、係止部との距離が第１のフレームと第２のフレームとを接合した時の係止溝と爪挿入穴との距離に等しいフレーム固定部と、係止部との距離が徐々に広がる爪挿入部とを有し、薄型ディスプレイパネルを用いた映像表示装置の枠型構造部を組み立てる。
【００１１】
本構成によって、枠型構造部をフレーム間の隙間を無く組み立てることが出来る。
【発明の効果】
【００１２】
本発明のフレーム固定器具によれば、専用器具を用いずに薄型ディスプレイパネルを用いた映像表示装置の枠型構造部をフレーム間の隙間を無く組み立てることが出来、枠型構造部の組み立て工程を簡素化することが出来る。
【発明を実施するための最良の形態】
【００１３】
以下本発明を実施するための最良の形態について、図面を参照にしながら説明する。
（実施の形態１）
本発明のフレーム固定金具２００を薄型ディスプレイパネルを用いた映像表示装置の枠型構造部１００においてフレームの接合部に取り付けた形態を図１で説明する。図１は、本発明の実施の形態１にかかるフレーム固定金具２００をフレーム接合部に取り付けた外観図であり、図１（ａ）は全体図で、図１（ｂ）は図１（ａ）の接合部の1つであるＡ部拡大図である。
【００１４】
図１（ｂ）に示すように、２本のフレーム１１０、１２０をプラスチック製のコーナー器具１５０によって接合部が構成されている。
【００１５】
その接合部の上にフレーム固定金具２００を乗せ、フレーム固定金具２００に空いている穴部２１０、２２０からねじを入れてフレーム１１０、１２０をねじ止めにより固定する。
【００１６】
次に、フレーム固定金具２００の形状について説明する。図２は、本発明の実施の形態１にかかるフレーム固定金具２００の外観図であり、図２（ａ）は正面図で、図２（ｂ）は図２（ａ）のＢ−Ｂ断面図である。
【００１７】
フレーム固定金具２００は一般鋼で作成されている。そして、フレーム固定金具２００は、図２（ａ）に示すようにフレーム固定金具２００にはＬ字型の形状を成しており、ねじのおねじ部が差し込める穴部２１０、２２０を有している。そして、２本のフレーム１１０、１２０を隙間無く接合させるために、フレームに開けられた爪挿入穴に引っ掛け挿入できるよう垂直方向に爪部２３０と、フレームの中央部に形成された係止溝で係り止めする係止部２４０を有する。更に、フレームにある穴部に入れることにより、フレーム固定金具２００の位置決め作用を働かせる小さい円状の突起部２５０、２６０、２７０，２８０を有する。また、図２（ｂ）に示すように爪部２３０の形状は１つの角に３０°の傾斜がついた爪挿入部２３１と、係止部２４０との距離が２本のフレームを接合した時に係止溝と爪挿入穴との距離に等しいフレーム固定部２３２とを備えてある。また、爪挿入部２３１は、フレーム固定部２３２との接点が係止部２４０の先端からの距離が最短であり、先端に向かうにつれ係止部２４０との距離が徐々に広がっている。
【００１８】
次に、フレーム金具２００を用いて薄型ディスプレイパネルを用いた映像表示装置の枠型構造部１００を組み立てる工程について説明する。
【００１９】
図３は、本発明の実施の形態１にかかる４本のフレームを枠型構造部１００に組み立てる説明図であり、図３（ａ）は枠型構造部１００の構成されている部品を示した分解図で、図３（ｂ）は４本のフレーム１１０、１２０、１３０、１４０とコーナー器具１５０ａ、１５０ｂ、１５０ｃ、１５０ｄをそれぞれ接合した際に、枠型構造部１００の右側のフレーム固定金具２００ａ、２００ｂを取付けた状態と、枠型構造部１００の左側のフレーム固定金具２００ｃ、２００ｄを取り付ける場所を示した形態図である。
【００２０】
まず、図３（ａ）に示すように、枠型構造部１００を組み立てるためには、縦枠を形成するフレーム１１０、１３０と、横枠を形成するフレーム１２０、１４０と、コーナー器具１５０ａ、１５０ｂ、１５０ｃ、１５０ｄ、金具２００ａ、２００ｂ、２００ｃ、２００ｄが必要であり、これらの部品を互いに接合し枠型構造部１００の形態に構築させる。
【００２１】
フレーム１１０、１３０はねじ穴１１２、１１６、１３２、１３６と爪挿入穴１１１、１１５、１３１、１３５とフレーム固定金具２００ａ、２００ｂ，２００ｃ、２００ｄの位置決め用の突起物２５０、２６０、２７０、２８０がはめ合う位置決め用の小穴部１１３、１１４、１１７，１１８、１３３、１３４、１３７、１３８が空けられている。位置決め用の小穴部１１３、１１４、１１７，１１８、１３３、１３４、１３７、１３８は、突起物２５０、２６０、２７０、２８０に対して少し大きいサイズになっている。
【００２２】
そして、フレーム１２０、１４０はねじ穴１２１、１２４、１４１、１４４とフレーム固定金具２００ａ、２００ｂ，２００ｃ、２００ｄの位置決め用の突起物２５０、２６０、２７０、２８０がはめ合う小穴部１２２、１２３、１２５，１２６、１４２、１４３、１４５，１４６が空けられている。位置決め用の小穴部１２２、１２３、１２５，１２６、１４２、１４３、１４５，１４６は、突起物２５０、２６０、２７０、２８０に対して少し大きいサイズになっている。
【００２３】
まず、それぞれ４本のフレーム１１０、１２０、１３０、１４０においてコーナー器具１５０ａ、１５０ｂ、１５０ｃ、１５０ｄを用いて互いを接合して枠型構造部１００を形状のみ構築させる。次に、４角においてフレーム固定金具２００ａ、２００ｂ、２００ｃ、２００ｄをそれぞれ用いて固定することにより薄型ディスプレイを用いた映像表示装置の枠型構造部１００を完成させる流れとなっている。
【００２４】
次に、フレームとコーナー器具とフレーム固定金具を互いに接合して形成した枠型構造部１００の形態図を図３（ｂ）により説明する。図３（ｂ）の左側はフレーム固定金具を取り付ける前の形態図で、図３（ｂ）の右側はフレーム固定金具を取り付けた後の形態図である。図３（ｂ）に示しているように、フレーム固定金具２００ａ、２００ｂ、２００ｃ、２００ｄはフレーム１１０、１２０、１３０、１４０の接合された枠型内の内側の各角部に装着される。
【００２５】
ここで、枠型構造部１００の接合部のうち、１つを拡大してフレーム固定金具２００ａの取り付け方法の説明を行う。図４は、本発明の実施の形態１にかかる枠型構造部を形成する時の１つの接合部の拡大図であり、図４（ａ）はフレーム１１０、１２０とコーナー金具１５０ａを接合する前の形態図であり、図４（ｂ）はフレーム１１０、１２０とコーナー金具１５０ａを接合した後の形態図であり、図４（ｃ）はフレーム１１０、１２０とコーナー金具１５０ａを接合した後の接合部にフレーム固定金具２００ａを取り付けた形態図である。
【００２６】
図４に示すように、フレーム１１０と１２０をコーナー器具１５０ａにより直角を形成するようにはめ合わせる。しかし、フレーム１１０、１２０とコーナー器具１５０ａははめ合わせただけで固定されておらず安易に取り外すことが出来てしまう。そのため、フレーム１１０、１２０とコーナー器具１５０ａの間に隙間が生じることがある。
【００２７】
そこで、フレーム１１０、１２０とコーナー器具１５０ａを直角に接合部を形成した状態で固定するためにフレーム固定金具２００ａを取り付ける。最初に、フレーム固定金具２００ａを取り付けるためにフレーム１２０の中央部に設けられた係止溝１２７にフレーム固定金具２００ａの係止部２４０を係止めする。そして、フレーム１１０，１２０に空けられたフレーム固定金具２００ａの位置決め用の小穴部１１３、１１４、１２２、１２３にフレーム固定金具２００ａの位置決め作用を働かせる小さい円状の突起部２５０、２６０、２７０、２８０をそれぞれはめ合わせる。最後に、フレーム固定金具２００ａの爪部２３０をフレーム１１０に設けられた爪挿入穴１１１に挿入した状態で、ねじを穴部２１０とねじ穴１２１、穴部２２０とねじ穴１１２にそれぞれ入れてねじ止め固定を行う。
【００２８】
更に、フレーム固定金具２００ａを用いてフレーム１１０、１２０とコーナー器具１５０ａを隙間無く固定する作業工程の流れを図４の断面図Ｃ−Ｃから見た側面図で説明する。図５は、本発明の実施の形態１にかかるフレーム固定金具２００を用いて２本のフレームを接合する工程の説明図で、図５（ａ）はフレーム１１０、１２０とフレーム固定金具２００を接合する前の構成図で、図５（ｂ）はフレーム固定金具２００の係止部２４０をフレーム１２０の中央に設けられた係止溝１２７に引っ掛けている状態図で、図５（ｃ）はフレーム固定金具２００の爪部２３０をフレーム１１０の爪挿入穴１１１に対して挿入し固定するためにねじ穴２２０にねじ３００を入れて固定しようとしている形態図で、図５（ｄ）はフレーム１１０、１２０とフレーム固定金具２００がねじ３００によって固定された状態図である。また、図６は、本発明の実施の形態１にかかるフレーム固定金具２００を用いて２本のフレームを接合するフローチャートである。   
【００２９】
フレーム固定金具２００を用いて２つのフレームを専用器具の使用無しで隙間無く固定する工程を説明する。まず、フレーム固定金具２００を側面断面図から見た時の構造の詳細について説明をする。図５（ａ）に示すように、フレーム固定金具２００は、フレームに対してねじ止め固定をするために開けられたねじ穴部２２０と、フレーム固定金具２００がフレーム１１０の爪挿入穴部１１１に対して引っ掛ける爪部２３０と、フレームの係止溝１２７に対して引っ掛ける係止部２４０を備えている。
【００３０】
次に、図５（ｂ）に示すように、フレーム固定金具２００の係止部２４０をフレーム１２０の係止溝１２７に引っ掛ける。この時、フレーム１２０の係止溝１２７から外れないようにフレーム固定金具２００の係止部２４０をフレーム１２０の係止溝１２７の奥まで入れる。そして、この状態を保ったままフレーム１２０にフレーム１１０が隙間無くなるように近づけた状態でフレーム固定金具２００をフレーム１１０に向けてゆっくりと倒す。このとき、図示していないがフレーム固定金具２００の突起部２５０、２６０、２７０、２８０がフレーム１１０、１２０の位置決め用の小穴部１３３、１３４、１３７、１３８に入って、位置決めを行っている。
【００３１】
そして、図５（ｃ）のようにフレーム固定金具２００の爪部２３０の爪挿入部２３１がフレーム１１０の爪挿入穴部１１１の入り口部に当たったら、その状態でフレーム固定金具２００をフレーム１１０の上に置く。そして、この状態でフレーム固定金具２００をフレーム１１０に対して、フレーム固定金具２００の爪部２３０がフレーム１１０の爪挿入穴部１１１に完全にはまるようにねじ３００をねじ穴部２２０に挿入してフレーム１１０のねじ穴１１２に対してねじ止めを行う。このとき爪部２３０は、爪挿入穴部１１１に対して、爪挿入部２３１から挿入される。爪挿入部２３１が挿入されるに従い、フレーム１１０をフレーム１２０に徐々に接近させる。そして、フレーム固定部２３２が爪挿入穴部１１１に入ったとき、フレーム１１０をフレーム１２０が隙間無しで接合される。
【００３２】
ゆえに、爪部２３０が爪挿入穴１１１に対して押し込まれ、図５（ｄ）に示すようにフレーム１１０とフレーム１２０が隙間無く接合される。
【００３３】
このフレーム固定金具２００の爪部２３０の爪挿入部２３１は、フレーム固定金具２００をフレーム１１０に向けて倒しておいた時にフレーム１１０の爪挿入穴部１１１の入り口部を傷つけないようにも考慮して備え付けられた構造であり、フレーム固定金具２００の爪部２３０がスムーズに滑り込ませることが出来るために傾斜形状となっている。この時、ねじ３００を締めていくにつれてフレーム固定金具２００の爪部２３０は、傾斜した爪挿入部２３１によって爪挿入穴部１１１に滑り込み、フレーム固定金具２００の爪部２３０のフレーム固定部２３２がフレーム１１０の爪挿入穴１１１に挿し当たる時にフレーム１１０、１２０間の隙間がなくなる。
【００３４】
ここで、予めフレーム１１０の爪挿入穴部１１１からフレーム１２０までの距離とフレーム固定金具２００の爪部２３０と係止部２４０までの距離が一致するように設定されている。
【００３５】
これより、完全に押しはめることによりフレーム固定金具２００がフレーム１１０をフレーム１２０に対して隙間無く引き寄せるガイド構造の役割を果たす。
【００３６】
また、フレーム固定金具２００の爪部２３０と係止部２４０がフレーム１１０、１２０にはめ合っているためフレーム固定金具２００を取らない限りフレーム１１０と１２０は動かない仕組みとなっている。
【００３７】
これより、フレーム固定金具２００の穴部２２０とフレーム１１０のねじ穴部１１２が合っているため、ここにねじ３００を入れてねじ止めを行うことによりフレーム１１０と１２０を完全に固定をすることが出来る。
【００３８】
この作業をフレーム１１０、１２０、１３０、１４０の４角に対して行うことで薄型ディスプレイパネルを用いた映像表示装置の枠型構造部において専用器具を用いることなく２つの部材を隙間無く固定することが出来る。つまり、従来は図９のように「専用器具４３０でフレームの接合部を固定する」という作業工程が含まれていたが、フレーム固定器具２００を用いることで図６のフローのように専用器具を使わないで済むことから作業工程を１つ減らすことが出来る。
【００３９】
かかる構成によれば、薄型ディスプレイパネルを生産する際にフレーム固定器具を２つのフレームを接合する際に用いることでねじ締め作業工程のみで隙間無く接合することを可能とする。つまり、専用器具を用いずに済むことから、生産工程の短縮化により同じ時間で従来よりも多くの薄型ディスプレイパネルを生産することが出来る。
【産業上の利用可能性】
【００４０】
本発明にかかるフレーム固定金具は、２つのフレームを専用器具の使用無しで隙間無く接合することが可能となるので、薄型ディスプレイパネルを用いた映像表示装置の枠型構造部、その他の電気製品、機械製品、建築物等の枠型構造部において有用である。
【図面の簡単な説明】
【００４１】
【図１】本発明の実施の形態１にかかるフレーム固定金具をフレーム接合部に取り付けた外観図
【図２】本発明の実施の形態１にかかるフレーム固定金具の外観図
【図３】本発明の実施の形態１にかかる４本のフレームを枠型構造部に組み立てる説明図
【図４】本発明の実施の形態１にかかる枠型構造部を形成する時の１つの接合部の拡大図
【図５】本発明の実施の形態１にかかるフレーム固定金具を用いて２本のフレームを接合する工程の説明図
【図６】本発明の実施の形態１にかかるフレーム固定金具を用いて２本のフレームを接合するフローチャート
【図７】従来のフレーム固定金具の外観図
【図８】従来のフレーム固定金具を用いて２本のフレームを接合する工程の説明図
【図９】従来のフレーム固定金具を用いて２本のフレームを接合するフローチャート
【符号の説明】
【００４２】
１００    枠型構造部
１１０    第１のフレーム
１１１、１１５    爪挿入穴部
１１２、１１６    ねじ穴部
１１３、１１４、１１７、１１８    小穴部
１２０    第２のフレーム
１２１、１２４    ねじ穴部
１２２、１２３、１２５、１２６    小穴部
１２７    係止溝
１３０    第３のフレーム
１３１、１３５    爪挿入穴部
１３２、１３６    ねじ穴部
１３３、１３４、１３７、１３８    位置決め用の小穴部
１４０    第４のフレーム
１４１、１４４    ねじ穴部
１４２、１４３、１４５、１４６    小穴部
１５０、１５０ａ、１５０ｂ、１５０ｃ、１５０ｄ    コーナー器具
２００、２００ａ、２００ｂ、２００ｃ、２００ｄ    フレーム固定金具
２１０、２２０    穴部
２３０    爪部
２３１    爪挿入部
２３２    フレーム固定部
２４０    係止部
２５０、２６０、２７０、２８０    突起部
３００    ねじ
【図１】
2009258413.tif 000003
【図２】
2009258413.tif 000004
【図３】
2009258413.tif 000005
【図４】
2009258413.tif 000006
【図５】
2009258413.tif 000007
【図６】
2009258413.tif 000008
【図７】
2009258413.tif 000009
【図８】
2009258413.tif 000010
【図９】
2009258413.tif 000011